(57)【要約】【課題】  複数の磁気回路を構成するヨークを共通のヨークとすると共に、これらのヨークをベース部材に兼用して形成した光量調節装置において、漏れ磁束の流入で他の磁気回路に影響を及ぼすおそれがある。【解決手段】  光量を制御する複数の遮光部材３、４と、磁気回路にて電磁的駆動力を得て複数の遮光部材３、４をそれぞれ駆動する複数の駆動手段５、５´と、複数の遮光部材３、４および複数の駆動手段５、５´を取り付けるベース部材１を備え、ベース部材１は複数の駆動手段５、」５´の前記磁気回路を構成するヨークＹ、Ｙ´を兼用し、複数の駆動手段５、５´に用いるヨークは共通のヨークを使用し、ベース部材１には、複数の駆動手段５、５´の中間部に漏れ磁束の流入を阻止する阻止手段１Ｋを設けた。【選択図】    図１
2006330314.tif 000002
【特許請求の範囲】
【請求項１】
光量を制御する複数の遮光部材と、磁気回路にて電磁的駆動力を得て前記複数の遮光部材をそれぞれ駆動する複数の駆動手段と、前記複数の遮光部材および前記複数の駆動手段を取り付けるベース部材を備え、前記ベース部材は前記複数の駆動手段の前記磁気回路を構成するヨークを兼用し、前記複数の駆動手段に用いるヨークは共通のヨークを使用した光量調節装置において、前記ベース部材には、前記複数の駆動手段の中間部に漏れ磁束の流入を阻止する阻止手段を設けたことを特徴とする光量調節装置。
【請求項２】
前記阻止手段は、薄肉部、あるいは切り欠き部により構成したことを特徴とする請求項１に記載の光量調節装置。
【請求項３】
前記阻止手段としての切り欠き部に、前記ベース部材の材質とは異なる材質の剛体を設けたことを特徴とする請求項２に記載の光量調節装置。
【請求項４】
前記剛体の材質は非磁性材料であることを特徴とする請求項３に記載の光量調節装置。
【請求項５】
前記ベース部材には撮像光を透過する円形の開口が形成されていることを特徴とする請求項１から４のいずれかに記載の光量調節装置。
【請求項６】
前記駆動手段は、少なくとも周方向に２極に着磁されたマグネットと、該マグネットの円周方向に配置された前記ヨークと、前記ヨークの一部に嵌着され、コイルが巻回されたボビンと、から構成されていることを特徴とする請求項１から５のいずれかに記載の光量調節装置。
【請求項７】
前記複数の遮光部材は、シャッタ部材同士の組み合わせ、絞り部材同士の組み合わせ、あるいはシャッタ部材と絞り部材との組み合わせであることを特徴とする請求項１から６のいずれかに記載の光量調節装置。
【請求項８】
請求項１から７のいずれかに記載の光量調節装置と、前記光量調節装置の前方または後方に少なくともレンズを配置した撮像光学系とをユニット化し、前記ヨークの少なくとも一部が、前記ヨークに最も近接する前記撮像光学系のレンズの外周より、光軸中心側に入り込んでいることを特徴とする撮像光学ユニット。
【請求項９】
請求項１から７のいずれかに記載の光量調節装置と、前記光量調節装置の前方または後方に少なくともレンズを配置した撮像光学系とを備えたことを特徴とする撮像装置。
【請求項１０】
請求項８に記載の撮像光学ユニットを有することを特徴とする撮像装置。
【発明の詳細な説明】
【技術分野】
【０００１】
本発明は、デジタルカメラなどに用いられる光量調節装置に関し、例えば絞り動作を行う絞り羽根と露光動作を行うシャッタ羽根を備えた光量調節装置、この光量調節装置を備えた撮像光学ユニット及びこの撮像光学ユニットを備えた撮像装置に関する。
【背景技術】
【０００２】
近年、デジタルカメラやカメラ付き携帯電話に用いられるカメラ用シャッタ装置や絞り装置は、デジタルカメラやカメラ付き携帯電話の小型化、薄型化に伴って、小型化、薄型化の要請が益々強まってきている。
【０００３】
その中で、小型化を意図した従来例として、露出用の開口部を開閉するシャッタ羽根と開口部の絞りを行う絞り羽根とを別々備えた絞り兼用シャッタにおいて、露出開口を備えた地板に２枚の絞り羽根を所定距離相対的に移動可能に支持し、又、前記2枚の絞り羽根で形成される絞り開口を１枚のシャッタで開閉する構成を有すると共に、さらに２枚の絞り羽根を駆動する駆動源とシャッタを駆動する駆動源を別々に有し、これら駆動源は所謂ムービングマグネットモータから構成されているものが提案されている。（特許文献１）。
【０００４】
又、駆動源を上述の例とは別な形態として、露出開口を備えた地板に対し、２枚の開き用シャッタを所定の距離を相対的に移動可能に支持させると共に、該開き用シャッタに前記露出開口を介して対向する位置に２枚の閉じ用シャッタを所定の距離を相対的に移動可能に支持させ、該閉じ用シャッタ、該開き用シャッタを駆動する駆動源を別々に持っている構成としたものが提案されている。（特許文献２）。
【０００５】
これらの駆動源は、外周面を二分するように異なる磁極（Ｎ極及びＳ極）に着磁され、所定角度範囲を回動するロータと、励磁用のコイルと、ロータの外周面に対向するように配置され、異なる磁極を発生し得る二つの磁極を有する二股状に形成された平板形状のヨークから構成されている。
【特許文献１】特開２００２−１３９７６８号公報
【特許文献２】特開２００３−１８６０７９号公報
【発明の開示】
【発明が解決しようとする課題】
【０００６】
上記した従来の光量調節装置において、ヨーク部材の位置精度のバラツキにより、一方の電磁アクチュエータの磁気が他方の電磁アクチュエータに作用し、例えば、前述したようにシャッタ駆動用アクチュエータ及び絞り羽根駆動用アクチュエータの作動開始位置、および所定距離回動した作動終了位置において、コイルへの通電を切ってもその位置を保持するようにヨークとロータ間に働く磁気吸引力が作用しているが、その磁気吸引力を弱めるような力が働き、作動開始位置、作動終了位置を維持できなくなる場合があり、個々のヨーク位置を後加工で調整することがあった。
【０００７】
また、上記先行技術に開示された光量調節装置において、前者の光量調節装置は、駆動源として所謂ムービングマグネット方式のモータを使用しており、ロータとコイルの構造の関係上、どうしても背が高くならざるをえなく、装置の薄型化には不向きである。
【０００８】
さらに、後者の光量調節装置の駆動源は、平板状のヨークを使用している関係上、ムービングマグネット方式のモータに比べて背が低くはなっているが、駆動源を載置している地板がモールドで形成されており、強度を保つ為には所定の厚みが必要となり、結果として装置の薄型化に限界があった。
【０００９】
このような背景から本出願人はベース部材とヨークを兼用化し、該ヨークを使用して磁気回路を構成し、複数の遮光部材を駆動する駆動手段を構成する光量調節装置を発案した。この光量調節装置によればベース部材とヨークを兼用化することにより、部品を省略化することができ、特に装置を薄型化することができた。
【００１０】
しかし、ベース部材を兼用した単一のヨークに複数の磁気回路を構成したので、一方の磁気アクチュエータの磁束がヨークを通って他方の磁気アクチュエータに影響を及ぼすという不具合が出る場合がある。
【００１１】
本出願に係る発明は、このような従来の問題に鑑みなされたもので、磁気干渉を少なくすると共に装置全体の小型化、特に薄型化をはかることができ、更に安価な光量調節装置の提供を目的とする。
【００１２】
さらに、光量調節装置の厚みを薄くすることにより、これらを含むレンズユニットを薄型化する撮像光学ユニット、およびデジタルカメラやカメラ付携帯電話などの撮像装置の小型化、薄型化をはかる撮像装置の提供を目的とすることにある。
【課題を解決するための手段】
【００１３】
本発明の目的を実現する光量調節装置の構成は、請求項１に記載のように、光量を制御する複数の遮光部材と、磁気回路にて電磁的駆動力を得て前記複数の遮光部材をそれぞれ駆動する複数の駆動手段と、前記複数の遮光部材および前記複数の駆動手段を取り付けるベース部材を備え、前記ベース部材は前記複数の駆動手段の前記磁気回路を構成するヨークを兼用し、前記複数の駆動手段に用いるヨークは共通のヨークを使用した光量調節装置において、前記ベース部材には、前記複数の駆動手段の中間部に漏れ磁束の流入を阻止する阻止手段を設けたことを特徴とする。
【００１４】
本発明の目的を実現する撮像光学ユニットの構成は、上記の光量調節装置と、前記光量調節装置の前方または後方に少なくともレンズを配置した撮像光学系とをユニット化し、前記ヨークの少なくとも一部が、前記ヨークに最も近接する前記撮像光学系のレンズの外周より、光軸中心側に入り込んでいることを特徴とする。
【００１５】
本発明の目的を実現する撮像装置の構成は、上記構成の光量調節装置と、前記光量調節装置の前方または後方に少なくともレンズを配置した撮像光学系とを備えたことを特徴とする。
【発明の効果】
【００１６】
本発明の光量調節装置によれば、ベース部材と磁気駆動回路を構成するヨークを兼用させると共に、複数の磁気アクチュエータの中間部に漏れ磁束の流入を阻止（磁気干渉阻止）する阻止手段を設けることにより、ベース部材を兼用した単一のヨークに複数の磁気回路を構成したがために起きる、一方の磁気アクチュエータの他方の磁気アクチュエータに磁気的な影響を及ぼすという不具合を防止でき、装置の小型化、薄型化を図ることができ、またこの光量調節装置を用いた撮像光学ユニット、撮像装置の小型化が図れる。
【発明を実施するための最良の形態】
【００１７】
第１の実施例
図１から図５は本発明の第１の実施例を示す。
【００１８】
図１は後述するカバー１０を取り外した状態の平面図であり、シャッタ羽根３は閉状態、光線の光量を制限する絞り羽根４は開状態を示している。図２は、図３からシャッタ羽根３、絞り羽根４、軸受け部材７を取り除いた状態を示し、図3はシャッタ羽根３と絞り羽根４の両方が開いた状態を示し、図4はシャッタ羽根３が開状態で絞り羽根４が閉状態を示し、図5ａはカバー１０をベース部材１に取り付けた状態を示す平面図、図５bは図５ａのＡ−Ａ線に沿った断面図である。
【００１９】
本実施例は、図１から図５に示すように、撮影光を透過する開口２がヨークを兼用するベース部材１に設けられる。ベース部材１は純鉄、電磁ステンレス、パーマロイ、ケイ素鋼板等の強磁性体の材料からなるヨーク用の材料からなる板材をプレス加工等により所定の形状に形成される。
【００２０】
このベース部材１は、中心線L１を中心に図１、図２中、左右に略軸線対称に形成され、左部分に示す要素と同じ要素の右部分の符号は同じ数字とし、  ´を付して区別する。
【００２１】
ベース部材１には、磁極部１ａと１ｂとが磁気的に略コの字形状をなすように形成されたヨークY、同様に磁極部１ａ´と１ｂ´とが略コの字形状をなすように形成されたヨークY´を有している。対向する磁極部１ａと１ｂ間、及び磁極部１ａ´と１ｂ´間の中心にはシャッタ羽根３、及び絞り羽根４を所定の角度回動駆動するロータ５、５´が所定間隙を介して回転可能にそれぞれ支持されている。左側のロータ５は前記ベース部材１に適当な方法で取り付けられる図５ｂに示す軸受け部材７上に形成された軸７ａに回転可能に支持される。
【００２２】
更に、前記左右の各磁極部１ｂ、１ｂ´は前記ロータ５、５´との対向する面積を増やすため、円弧状に切り曲げされ、ロータ５、５´の外周面の高さと同程度の幅で立ち上がっている。又、対向する各磁極部１ａ、１ａ´は励磁するコイル８、８´が巻回されたボビン６、６´がそれぞれ挿入され、ボビン６、６´にはそれぞれ出力端子である端子９、９´が備えられている。
【００２３】
前記磁極部１ａ、１ａ´には図５ｂに示すように、前記ロータ５、５´との対向する面積を増やすため、ロータ５、５´の外周面の高さと同程度の高さになるように磁極部１ａ、１ａ´と同形状で所定の厚さの平板１ｊがカシメ、接着等の適切な手段で固定されている。
【００２４】
また、前記ベース部材１のヨークＹとＹ´の中間部には、所定深さで所定長さの凹状溝部1Kが切削、プレス等の適切な手段により設けられている。
【００２５】
シャッタ羽根３、絞り羽根４の回動支持構造
シャッタ羽根３、絞り羽根４の回動支持構造は以下のようになっている。前記シャッタ羽根３は前記ベース部材１の下部に固定された軸受け部材７からと突出するように形成された軸７ｂに前記シャッタ羽根３の穴３ａが嵌合し回動中心をなすとともに、該軸７ｂは前記ベース部材１上に形成された穴１ｅを貫通し、前記ベース部材１上でシャッタ羽根３の穴３ａと嵌合し、結果、前記シャッタ羽根３は所定角度回動可能に支持される。
【００２６】
前記ベース１上には前記シャッタ羽根３の回動に対応して開き位置、閉じ位置を規定するストッパー１ｄ、１ｃが切り曲げ等の方法で一体的に形成される。
【００２７】
前記絞り羽根４は同様に前記ベース部材１の下部に固定された不図示の軸受け部材から突出するように形成された軸７ｂ´に前記絞り羽根４の穴４ａが嵌合し回動中心をなすとともに、該軸７ｂ´は前記ベース部材１上に形成された穴１ｅ´を貫通し、前記ベース部材１上で絞り羽根４の穴４ａ´と嵌合し、結果、前記絞り羽根４は所定の角度を回動可能に支持される。前記ベース１上には前記絞り羽根４の回動に対応して開き位置、閉じ位置を規定するストッパー１ｄ´、１ｃ´が切り曲げ等の方法で一体的に形成される。
【００２８】
前記シャッタ羽根３は前述のように穴３ａが軸７ｂ上で回動可能に支持されるが、一方では、前記ロータ５と一体的に形成された駆動ピン５ａが前記シャッタ羽根３に形成された長溝形状の長穴３ｂに遊嵌している。又、前記シャッタ羽根３の先端は前記開口２を覆うだけの面積を有している。シャッタ羽根３と絞り羽根４は、遮光性と潤滑性を有し、厚さ0.0３〜0.15mmの熱可塑性プラスチックシートをプレス加工して形成される。
【００２９】
前記絞り羽根４は前述のように穴４ａが軸７ｂ´上で回動可能に支持されるが、一方では、前記ロータ５´と一体的に形成された駆動ピン５ａ´が前記絞り羽根４に形成された長溝形状の長穴４ｂ´に遊嵌している。又、前記絞り羽根４の先端には前記開口２より小さい小絞り用の開口４ｃを有している。
【００３０】
前記ベース１には穴１ｇ、１ｇ´、１ｆが設けられている。穴１ｇ、１ｇ´はこの光量調節装置を不図示のカメラ本体に取り付けるためのものであり、穴１ｆはカバー部材１０を取り付け固定するためのものである。
【００３１】
前記カバー１０はシャッタ羽根３、絞り羽根４の可動領域を覆い、シャッタ羽根３、絞り羽根４の浮き上がりを防止する。該カバー１０は金属ないしプラスチックの薄板からなり、ベース１上の位置きめ穴１ｆに適切な方法で固定され、下辺は図５ａに示すごとくベース１に対しカバー１０の可撓性により嵌め合い固定される。
【００３２】
次に本実施例の光量調節装置の作動について説明する。
【００３３】
まず、不図示のカメラのシャッタレリーズボタンが押される前は、図３のようにシャッタ羽根３及び絞り羽根４とも、それぞれの羽根は重なって開口部２から退避している。
【００３４】
この状態においてシャッタ羽根駆動装置を構成する左側のシャッタ羽根用のロータ５は、図３に示すように、磁気吸引力により時計方向に回動しようとする力が働いており、シャッタ羽根３はストッパー１ｄにより係止され、開状態が維持されている。一方、絞り羽根駆動装置を構成する右側の絞り羽根用のロータ５´は図３に示すように、磁気吸引力により反時計方向に回動しようとする力が働いており、絞り羽根４はストッパー１ｄ´により係止され、開状態が維持されている。
【００３５】
次にレリーズボタンが押されると、不図示の撮像素子はそれまで蓄積した電荷を放出し、その後所定露光量の電荷を蓄積した後、シャッタ羽根群を閉じて露光を終了し、その後蓄積した電荷の転送を行う。
【００３６】
その時、不図示の駆動回路によりコイル８に通電されると前記磁極部１ａ、１ｂはそれぞれＮ極、Ｓ極になりロータ５は反時計方向に回動し始める。ロータ５の反時計方向への回動に伴ってロータ５に一体的に設けられた駆動ピン５ａも反時計方向に回動し始める。駆動ピン５ａは回動に伴って前記シャッタ羽根３に形成された長溝３ａの図４中右側の内壁部分を反時計方向に押圧し、シャッタ羽根３は軸７ｂを回動中心とし、時計方向に回動し開口２を閉鎖し、図１に示す状態に至る。
【００３７】
シャッタ羽根３の閉鎖状態において、前記コイル８への通電を切ってもロータ５は磁気吸引力により反時計方向に回動しようとする力が働き、その力によりシャッタ羽根３も時計方向に回動しようとするが、ストッパー１ｃに係止され閉状態が維持される。
【００３８】
この時、前記シャッタ羽根３と絞り羽根４は全開状態から全閉状態までのどの位置でも必ず一部が重なっており羽根同士が干渉することはない。
【００３９】
次に、撮像素子の電荷の転送が終了すると、シャッタ羽根３は再び開放する。このときシャッタ羽根用の駆動手段は、シャッタ閉鎖動作時と反対方向に駆動ピン5ａを駆動する。その動作は今まで述べてきた、全開から全閉の動作と逆の動作を行い全開となる。
【００４０】
次に絞り羽根４の動作について説明する。
【００４１】
不図示の露出制御機構により露光量が決まるとその時、不図示の駆動回路によりコイル８´に通電されると前記磁極部１ａ´、１ｂ´はそれぞれＳ極、Ｎ極になりロータ５´は時計方向に回動し始める。ロータ５´の回動に伴ってロータ５´に一体的に設けられた駆動ピン５ａ´も時計方向に回動し始める。駆動ピン５ａ´は回動に伴って前記絞り羽根４に形成された長溝４ｂ´の図４中左側の内壁部分を時計方向に押圧し、絞り羽根４は軸７ｂ´を回動中心とし、反時計方向に回動し開口２を図４に示すように小絞り径４ｃに制限する。
【００４２】
閉鎖状態においては前記コイル８´への通電を切ってもロータ５´は磁気吸引力により時計方向に回動しようとする力が働き、その力により絞り羽根４も反時計方向に回動しようとするが、ストッパー１ｃ´に係止され閉状態が維持される。
この時、前記シャッタ羽根３と絞り羽根４は全開状態から全閉状態までのどの位置でも必ず一部が重なっており羽根同士が干渉することはない。
【００４３】
前述したシャッタ羽根３が駆動された時、励磁された磁束は略コの字状のヨークＹの磁極部１ａのＮ極から磁極部１ｂのＳ極へと閉ループを描くように流れる。しかし、ヨークＹとヨークＹ´は共通のヨーク部材を使用しているため、磁束の大部分は上記のように流れるが、一部は隣接するヨークＹ´に漏れる。この漏れ磁束がヨークＹ´に流れ、漏れ磁束量が大きいと絞り駆動機構に回転駆動力が働く、前述のように絞り駆動機構に駆動電流が流れていない時は、ロータ５´に磁気吸引力により時計方向に回動しようとする力が働き、その力により絞り羽根４も反時計方向に回動しようとするが、ストッパー１ｃ´に係止され初期位置状態が維持されているが、この磁気吸引力を上回る駆動力が働くような漏れ磁束が流れると、絞り羽根４が動いてしまい、はなはだしくは絞り羽根４が閉状態になってしまうことがある。このような状態にならないまでも、漏れ磁束がヨークＹ´に流れ、絞り駆動機構に回転駆動力が働くと絞り羽根４に時計方向の駆動力が働き初期位置が不安定になり、例えば衝撃等の力が加わると絞り羽根４が動き、閉状態になってしまうことがある。
【００４４】
本実施例によれば、前記ベース部材１のヨークＹとＹ´の中間部には所定深さで所定長さの凹状溝部1Kが設けられているので、ヨークＹとＹ´の磁路断面積に比べて、凹状溝部1K部分の磁路断面積が小さい。このため、漏れ磁束がヨークＹ´に流れこもうとしても、流れる磁束量は磁路の断面積に比例するので、凹状溝部1K部分で磁気的に飽和してしまいヨークＹ´にはわずかな量しか流れない。
【００４５】
以上の説明においてはシャッタ羽根３の駆動時での漏れ磁束流入阻止方法について述べたが、同様のことが絞り羽根４を駆動するときについても言える。この場合は絞り羽根４が駆動して開口部２を所定開口に光量を絞った状態において、シャッタ羽根３が駆動してしまうと開口部２が全閉してしまい、光量を絞ることができないと言うことが考えられる。しかし、上述の凹状溝部１Kの作用により、漏れ磁束の流入が阻止されるため、絞り羽根４の駆動時にシャッタ羽根３が漏れ磁束の影響で駆動されることがない。
第２の実施例
図６は本発明の第２の実施例を示す。
【００４６】
本第２の実施例は、上述した漏れ磁束流入量を第１の実施例よりもさらに小さくする構成を示すものである。
【００４７】
本実施例においては、図１に示す第１の実施例における前記凹状溝部1Kに代えて、同じ場所に所定幅で所定長さのエアギャップである空隙部１Lを設けた。このエアギャップである空隙部１LをヨークYとY´との間に形成したことにより磁気抵抗が更に大きくなり、漏れ磁束流入に対して強くなり、互いに漏れ磁束による相手側への影響を極力小さくすることができる。
第３の実施例
図７は本発明の第３の実施例を示す。
【００４８】
図７は図６に示す第2の実施例の変形例である。図６に示す上記した第２の実施例においては、漏れ磁束流入阻止部分としてベース部材１に空隙部１Lを設けたが、この部分だけ切りかかれているため、光量調節装置としての機械的強度が低下することも考えられる。
【００４９】
そこで、本第３の実施例では、前記空隙部１Ｌに黄銅等の非磁性部材１Mを圧入、接着等の手段で前記空隙部１Lを充填する構成にした。このことにより光量調節装置としての機械的強度が低下する恐れがなく、磁気抵抗が大きく漏れ磁束流入に対して強くなった。
第４の実施例
図８は本発明の第４の実施例を示す。
【００５０】
本実施例は、第１、第２または第３の実施例に示す光量調節装置Eとレンズ１１、１２とを保持部材１３を介して一体的に組付けてユニット化したレンズユニットLUを示している。
第５の実施例
図9及び図１０は本発明の第５の実施例を示す。
【００５１】
図９は撮像手段としてＣＣＤ、ＣＭＯＳセンサなどの撮像素子１４を備えたデジタルカメラ１５の撮像光学系に第１、第２または第３の実施例に示す光量調節装置Ｅ、あるいは第４の実施例に示すレンズユニットＬＵを配置したもので、上述した効果によりカメラの撮像光学系の厚みを薄くして、カメラの薄型化を図ることができる。
【００５２】
図１０は、携帯端末装置に第１、第２または第３の実施例に示す光量調節装置Ｅとレンズ１７とを配置したものである。光量調節装置Ｅに対してレンズ１７は従来のようにヨークより配置位置が限定されることがないため、上述した効果により携帯端末である薄くしかも幅が狭いカメラ付携帯電話の更なる小型化に寄与することができる。
【図面の簡単な説明】
【００５３】
【図１】本発明の第１の実施例における光量調節装置の平面図で、シャッタ羽根が閉鎖状態で絞り羽根が開放状態を示す。
【図２】図１のベース部材、ロータ、コイルボビンの配置状態を示す図。
【図３】本発明の第１の実施例における光量調節装置の平面図で、シャッタ羽根及び絞り羽根が開放状態を示す。
【図４】本発明の第１の実施例における光量調節装置の平面図で、シャッタ羽根が開放状態で絞り羽根が閉鎖状態を示す。
【図５ａ】図１の光量調節装置にカバー部材を取り付けた平面図。
【図５ｂ】図５ａのＡ−Ａ線断面図。
【図６】本発明の第２の実施例を示す光量調節装置におけるベース部材の平面図。
【図７】本発明の第３の実施例を示す光量調節装置におけるベース部材の平面図。
【図８】本発明の第４の実施例を示すレンズユニットの断面図。
【図９】本発明の第５の実施例を示すカメラの概略図。
【図１０】本発明の第５の実施例を示す携帯端末としてのカメラ付携帯電話の概略図。
【符号の説明】
【００５４】
１  ベース部材
１K  凹状溝部
１L  空隙部
１M  非磁性部材
２  開口
３  シャッタ羽根
４  絞り羽根
５  ロータ
６  ボビン
７  軸受け部材
８  励磁コイル
９  端子
Ｙ、Ｙ´  ヨーク
【図１】
2006330314.tif 000003
【図２】
2006330314.tif 000004
【図３】
2006330314.tif 000005
【図４】
2006330314.tif 000006
【図５ａ】
2006330314.tif 000007
【図５ｂ】
2006330314.tif 000008
【図６】
2006330314.tif 000009
【図７】
2006330314.tif 000010
【図８】
2006330314.tif 000011
【図９】
2006330314.tif 000012
【図１０】
2006330314.tif 000013